(57)【特許請求の範囲】
【請求項１】
１個の光加入者線終端装置及び複数の光ネットワーク終端装置が、光ファイバ伝送路を介してポイントツーマルチポイントの通信を行う光ネットワークシステムであって、
前記光加入者線終端装置は、各光ネットワーク終端装置に上り帯域を割り当て、
各光ネットワーク終端装置は、前記光加入者線終端装置への送信を行わない省電力状態及び前記光加入者線終端装置への送信を行う起動状態の間で状態を切り換え、省電力状態において、前記光加入者線終端装置への上りデータを蓄積したときに、前記光加入者線終端装置が各光ネットワーク終端装置に当該省電力状態において割り当てた上り帯域に基づいて、当該省電力状態の後の起動状態において、前記光加入者線終端装置が各光ネットワーク終端装置に当該起動状態において上り帯域を割り当てるのを待機せずに、前記光加入者線終端装置への上りデータを前記光加入者線終端装置への制御メッセージのペイロード領域に格納して、前記光加入者線終端装置への制御メッセージを前記光加入者線終端装置に送信することを特徴とする光ネットワークシステム。
【請求項２】
各光ネットワーク終端装置が当該省電力状態において蓄積した前記光加入者線終端装置への上りデータのサイズが、前記光加入者線終端装置が各光ネットワーク終端装置に当該省電力状態において割り当てた上り帯域で送信可能なデータのサイズより小さいときに、各光ネットワーク終端装置は、当該省電力状態の後の起動状態において、前記光加入者線終端装置への上りデータの全てを前記光加入者線終端装置に送信することを特徴とする、請求項１に記載の光ネットワークシステム。
【請求項３】
各光ネットワーク終端装置が当該省電力状態において蓄積した前記光加入者線終端装置への上りデータのサイズが、前記光加入者線終端装置が各光ネットワーク終端装置に当該省電力状態において割り当てた上り帯域で送信可能なデータのサイズより大きいときに、各光ネットワーク終端装置は、当該省電力状態の後の起動状態において、前記光加入者線終端装置への上りデータの一部を前記上り帯域の範囲内で前記光加入者線終端装置に送信し、当該起動状態の後の起動状態において、前記光加入者線終端装置への上りデータの残りを前記光加入者線終端装置に送信することを特徴とする、請求項１に記載の光ネットワークシステム。
【請求項４】
各光ネットワーク終端装置は、前記光加入者線終端装置への上りデータの送信優先度に基づいて、前記光加入者線終端装置への上りデータを前記光加入者線終端装置に送信することを特徴とする、請求項１から３のいずれかに記載の光ネットワークシステム。
【請求項５】
光加入者線終端装置への送信を行わない省電力状態及び前記光加入者線終端装置への送信を行う起動状態の間で状態を切り換える状態切換部と、
前記光加入者線終端装置への上りデータを蓄積するデータ蓄積部と、
省電力状態において、前記光加入者線終端装置への上りデータが蓄積されたときに、前記光加入者線終端装置が当該省電力状態において割り当てた上り帯域に基づいて、当該省電力状態の後の起動状態において、前記光加入者線終端装置が当該起動状態において上り帯域を割り当てるのを待機せずに、前記光加入者線終端装置への上りデータを前記光加入者線終端装置への制御メッセージのペイロード領域に格納して、前記光加入者線終端装置への制御メッセージを前記光加入者線終端装置に送信するデータ送信部と、
を備えることを特徴とする光ネットワーク終端装置。
【請求項６】
当該省電力状態において蓄積された前記光加入者線終端装置への上りデータのサイズが、前記光加入者線終端装置が当該省電力状態において割り当てた上り帯域で送信可能なデータのサイズより小さいときに、前記データ送信部は、当該省電力状態の後の起動状態において、前記光加入者線終端装置への上りデータの全てを前記光加入者線終端装置に送信することを特徴とする、請求項５に記載の光ネットワーク終端装置。
【請求項７】
当該省電力状態において蓄積された前記光加入者線終端装置への上りデータのサイズが、前記光加入者線終端装置が当該省電力状態において割り当てた上り帯域で送信可能なデータのサイズより大きいときに、前記データ送信部は、当該省電力状態の後の起動状態において、前記光加入者線終端装置への上りデータの一部を前記上り帯域の範囲内で前記光加入者線終端装置に送信し、当該起動状態の後の起動状態において、前記光加入者線終端装置への上りデータの残りを前記光加入者線終端装置に送信することを特徴とする、請求項５に記載の光ネットワーク終端装置。
【請求項８】
前記データ送信部は、前記光加入者線終端装置への上りデータの送信優先度に基づいて、前記光加入者線終端装置への上りデータを前記光加入者線終端装置に送信することを特徴とする、請求項５から７のいずれかに記載の光ネットワーク終端装置。
【発明の詳細な説明】
【技術分野】
【０００１】
本発明は、光ネットワークシステムにおけるスマートグリッド技術に関する。
【背景技術】
【０００２】
近年、電力網と通信網の融合により効率的なエネルギーマネジメントを行うスマートグリッド技術が注目を浴びている。スマートグリッドに利用される通信ネットワーク上では主にＭ２Ｍ（Ｍａｃｈｉｎｅ  ｔｏ  Ｍａｃｈｉｎｅ）通信が行われる。Ｍ２Ｍ通信では少量のデータが高頻度でやり取りされる。特に、センサデータを収集するための低速上りトラヒックが常時発生するという特徴がある。センサデータは、例えば、Ｚｉｇｂｅｅ等の無線ネットワークを介してゲートウェイに転送され、さらにブロードバンドアクセスネットワークを介してサーバへと転送され、データベース化される。スマートグリッド技術におけるＭ２Ｍ通信について、例えば非特許文献１に記載されている。
【０００３】
スマートグリッドにおける通信網として、ＩＰ（Ｉｎｔｅｒｎｅｔ  Ｐｒｏｔｏｃｏｌ）ベースの光アクセスネットワークを利用することが考えられる。光アクセスネットワークの１つとして、受動光ネットワーク（ＰＯＮ：Ｐａｓｓｉｖｅ  Ｏｐｔｉｃａｌ  Ｎｅｔｗｏｒｋ）がある。図１に示すように、ＰＯＮは、１つの光加入者線終端装置（ＯＬＴ：Ｏｐｔｉｃａｌ  Ｌｉｎｅ  Ｔｅｒｍｉｎａｌ）１が複数の光ネットワーク終端装置（ＯＮＵ：Ｏｐｔｉｃａｌ  Ｎｅｔｗｏｒｋ  Ｕｎｉｔ）２−１、２−２、・・・、２−ｎと、光ファイバ伝送路３および１対ｎのスプリッタ４（ｎは自然数）を介してポイントツーマルチポイントの通信を行うネットワークである。ギガビットクラスのＰＯＮの代表的な規格として、ＩＥＥＥ８０２．３にて標準化されたＥＰＯＮ（Ｅｔｈｅｒｎｅｔ（登録商標）ＰＯＮ）がある。また、ＩＥＥＥ８０２．３ａｖ検討グループにおいて、１０ギガビットクラスの１０Ｇ−ＥＰＯＮの標準化が行われた。１０ギガビットクラスの１０Ｇ−ＥＰＯＮについて、例えば非特許文献２に記載されている。
【０００４】
図２にＥＰＯＮにおけるＯＮＵ２の機能ブロック図を示す。上り主信号は、ＵＮＩ（Ｕｓｅｒ  Ｎｅｔｗｏｒｋ  Ｉｎｔｅｒｆａｃｅ）ポート２１、キュー管理手段２２、ＰＯＮ信号処理手段２３を介してＰＯＮ−ＩＦ（ＰＯＮ  Ｉｎｔｅｒｆａｃｅ）ポート２４へと流れる。一方、下り主信号は、ＰＯＮ−ＩＦポート２４、ＰＯＮ信号処理手段２３、キュー管理手段２２を介してＵＮＩポート２１へと流れる。ＯＮＵ２は、上り方向に対して複数のキューを備え、キュー監視手段２５として各キュー内のデータ量を監視する手段を有している。また、ＯＮＵ２は、ＰＯＮ信号処理手段２３に、ＯＬＴ１に対して各キュー内のデータ量を報告するＭＰＣＰ（Ｍｕｌｔｉ−Ｐｏｉｎｔ  Ｃｏｎｔｒｏｌ  Ｐｒｏｔｏｃｏｌ）部２３１と、ＯＬＴ１と保守監視用の制御フレームをやり取りするＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）部２３２を有している。
【０００５】
図３にＥＰＯＮにおけるＯＬＴ１の機能ブロック図を示す。下り主信号は、ＳＮＩ（Ｓｅｒｖｉｃｅ  Ｎｏｄｅ  Ｉｎｔｅｒｆａｃｅ）ポート１１、キュー管理手段１２、ＰＯＮ信号処理手段１３を介してＰＯＮ−ＩＦポート１４へと流れる。一方、上り主信号は、ＰＯＮ−ＩＦポート１４、ＰＯＮ信号処理手段１３、キュー管理手段１２を介してＳＮＩポート１１へと流れる。ＯＬＴ１は、ＰＯＮ信号処理手段１３に、各ＯＮＵ２に対して各ＯＮＵ２に備えられたキュー内のデータ量を報告させるＭＰＣＰ部１３１と、各ＯＮＵ２から受信した報告メッセージをもとに各ＯＮＵ２内のキューのデータ量を監視し、各ＯＮＵ２へ使用帯域を割り当てる帯域割当部１３２と、各ＯＮＵ２と保守監視用の制御フレームをやり取りするＯＡＭ部１３３を有している。
【０００６】
一方、ブロードバンドアクセスネットワークを構成するＰＯＮシステムにおいては、ＯＮＵの省電力化を図るための省電力メカニズムがＩＴＵ−ＴおよびＩＥＥＥ  Ｐ１９０４．１で提案されている。ＰＯＮの省電力メカニズムとしては、Ｐｏｗｅｒ  Ｓｈｅｄｄｉｎｇ、Ｄｅｅｐ  Ｓｌｅｅｐ、Ｄｏｚｉｎｇ、Ｃｙｃｌｉｃ  Ｓｌｅｅｐの４方式がある。Ｐｏｗｅｒ  Ｓｈｅｄｄｉｎｇは不要のＵＮＩポートを休止させる方式である。Ｄｅｅｐ  Ｓｌｅｅｐは流通トラヒックがない場合に送受信部を休止させる方式である。Ｄｏｚｉｎｇは上りトラヒックが存在しない場合に送信部を休止させる方式である。Ｃｙｃｌｉｃ  Ｓｌｅｅｐは流通トラヒックがない場合に送受信部を休止させ、一定時間経過後に休止させていた送受信部を起動させてトラヒックの確認を行う方式である。ＯＮＵの省電力メカニズムについて、例えば非特許文献３、４に記載されている。
【０００７】
図４から図６にＯＮＵ２のＰＯＮ信号処理手段２３の機能構成を示す。
【０００８】
Ｄｏｚｉｎｇ方式の場合、ＯＮＵ２のＰＯＮ−ＩＦポート２４側の受信機能は常に起動状態であるが、送信機能は上りトラヒックが存在する場合以外は省電力状態となる。なお、Ｔｓ秒間の省電力状態の後、Ｔａ秒間の起動状態に遷移し、ＯＬＴ１に対して省電力状態の継続を通知してもよい。省電力状態においては、例えば、図４に示すように、光トランシーバの一部である送信ＰＨＹ部（ＰＭＤ（Ｐｈｙｓｉｃａｌ  Ｍｅｄｉｕｍ  Ｄｅｐｅｎｄｅｎｔ））２３４−１のみを休止させる。または、図５に示すように、送信ＰＨＹ部（ＰＭＤ）２３４−１に加えて、送信ＰＨＹ部（ＰＭＤ除く）２３５−１を休止させてもよい。あるいは、図６に示すように、送信ＰＨＹ部（ＰＭＤ）２３４−１、送信ＰＨＹ部（ＰＭＤ除く）２３５−１に加えて、送信ＭＡＣ部２３６−１を休止させてもよい。
【０００９】
Ｃｙｃｌｉｃ  Ｓｌｅｅｐ方式の場合、ＯＮＵ２のＰＯＮ−ＩＦポート２４側の送受信機能は上下トラヒックが存在しない場合に間欠的に起動状態となる。つまり、Ｔｓ秒間の省電力状態とＴａ秒間の起動状態を繰り返す。省電力状態においては、例えば、図４に示すように、光トランシーバの一部である送受信ＰＨＹ部（ＰＭＤ）２３４−１、２３４−２のみを休止させる。または、図５に示すように、送受信ＰＨＹ部（ＰＭＤ）２３４−１、２３４−２に加えて、送受信ＰＨＹ部（ＰＭＤ除く）２３５−１、２３５−２を休止させてもよい。あるいは、図６に示すように、送受信ＰＨＹ部（ＰＭＤ）２３４−１、２３４−２、送受信ＰＨＹ部（ＰＭＤ除く）２３５−１、２３５−２に加えて、送受信ＭＡＣ部２３６−１、２３６−２を休止させてもよい。
【００１０】
従来のＤｏｚｉｎｇ方式における第１の制御メッセージ交換例を図７に示す。ＯＮＵ２が起動モードである場合には、上りキューに格納されているデータ量をＯＬＴ１へ通知し、ＯＬＴ１の帯域割当部１３２より割り当てられた上り帯域を利用して、データを送信する。ＯＮＵ２のＭＰＣＰ部２３１からＲｅｐｏｒｔメッセージを送信することでデータ量の通知を行う。またＯＬＴ１のＭＰＣＰ部１３１からＧａｔｅメッセージを送信することで、上り割当帯域の通知を行う。
【００１１】
ＯＮＵ２の上りキューにデータが無くなった場合、ＯＬＴ１はＯＮＵ２に対して省電力モードへの移行を許可するＳｌｅｅｐ  Ａｌｌｏｗメッセージを送信する。ＯＮＵ２は省電力モードへの移行が可能であると判断した場合、Ｓｌｅｅｐ  ＲｅｑｕｅｓｔメッセージをＯＬＴ１へ送信し、Ｔｓ１秒間の省電力状態へと遷移する。例えば、省電力期間Ｔｓ１は、１０ミリ秒から１００ミリ秒に設定する。
【００１２】
Ｔｓ１秒経過後に、ＯＮＵ２はＴａ１秒間の起動状態に遷移し、ＯＬＴ１からのＳｌｅｅｐ  Ａｌｌｏｗメッセージを受信する。例えば、起動時間Ｔａ１はＯＬＴ１とＯＮＵ２の時刻誤差を考慮して、数ミリ秒以下に設定することが望ましい。ＯＬＴ１はＳｌｅｅｐ  Ａｌｌｏｗメッセージを、例えば、Ｔａ１＋Ｔｓ１秒間の周期で送信する。ＯＮＵ２は、Ｓｌｅｅｐ  Ａｌｌｏｗメッセージを受信した際、上りキューにデータが無ければ、ＡＣＫメッセージをＯＬＴ１へ送信し、再びＴｓ１秒間の省電力状態へと遷移する。
【００１３】
Ｔｓ２秒後（Ｔｓ２＜Ｔｓ１）に上りトラヒックが発生した場合には、ＯＮＵ２は上りキュー内のデータ量をＲｅｐｏｒｔメッセージによりＯＬＴ１へ通知する。ただし、ＡＣＫメッセージおよびＲｅｐｏｒｔメッセージを送信するための上り帯域は、ＯＮＵ２の省電力状態及び起動状態のいずれに関わらず、Ｓｌｅｅｐ  Ａｌｌｏｗ送信周期よりも短い間隔でＯＬＴ１より送信されているＧａｔｅメッセージにより定期的に割り当てられている。ＯＮＵ２は、ＯＬＴ１の帯域割当部１３２による上り帯域割当を待ち、Ｇａｔｅメッセージによる上り帯域割当通知の後に、上りデータを送信する。
【００１４】
なお、Ｓｌｅｅｐ  Ａｌｌｏｗメッセージ、Ｓｌｅｅｐ  Ｒｅｑｕｅｓｔメッセージ、ＡＣＫメッセージの送受信には、ＯＬＴ１及びＯＮＵ２のＭＰＣＰ部１３１、２３１の機能を利用したＭＰＣＰメッセージを用いてもよいし、ＯＬＴ１及びＯＮＵ２のＯＡＭ部１３３、２３２の機能を利用したＯＡＭメッセージ（拡張ＯＡＭ）メッセージを用いてもよいし、それ以外の任意の制御メッセージを用いてもよい。
【００１５】
従来のＤｏｚｉｎｇ方式における第２の制御メッセージ交換例を図８に示す。ＯＮＵ２が起動モードである場合には、上りキューに格納されているデータ量をＯＬＴ１へ通知し、ＯＬＴ１の帯域割当部１３２より割り当てられた上り帯域を利用して、データを送信する。ＯＮＵ２のＭＰＣＰ部２３１からＲｅｐｏｒｔメッセージを送信することでデータ量の通知を行う。またＯＬＴ１のＭＰＣＰ部１３１からＧａｔｅメッセージを送信することで、上り割当帯域の通知を行う。
【００１６】
ＯＮＵ２の上りキューにデータが無くなった場合、ＯＬＴ１はＯＮＵ２に対して省電力モードへの移行を許可するＳｌｅｅｐ  Ａｌｌｏｗメッセージを送信する。ＯＮＵ２は省電力モードへの移行が可能であると判断した場合、Ｓｌｅｅｐ  ＲｅｑｕｅｓｔメッセージをＯＬＴ１へ送信し、省電力状態へと遷移する。
【００１７】
上りトラヒックが発生した場合には、ＯＮＵ２は上りキュー内のデータ量をＲｅｐｏｒｔメッセージによりＯＬＴ１へ通知する。ただし、このＲｅｐｏｒｔメッセージを送信するための上り帯域は、ＯＮＵ２の省電力状態及び起動状態のいずれに関わらず、ＯＬＴ１より送信されているＧａｔｅメッセージにより定期的に割り当てられている。ＯＮＵ２は、ＯＬＴ１の帯域割当部１３２による上り帯域割当を待ち、Ｇａｔｅメッセージによる上り帯域割当通知の後に、上りデータを送信する。
【００１８】
なお、Ｓｌｅｅｐ  Ａｌｌｏｗメッセージ、Ｓｌｅｅｐ  Ｒｅｑｕｅｓｔメッセージの送受信には、ＯＬＴ１及びＯＮＵ２のＭＰＣＰ部１３１、２３１の機能を利用したＭＰＣＰメッセージを用いてもよいし、ＯＬＴ１及びＯＮＵ２のＯＡＭ部１３３、２３２の機能を利用したＯＡＭメッセージ（拡張ＯＡＭ）メッセージを用いてもよいし、それ以外の任意の制御メッセージを用いてもよい。
【００１９】
従来のＣｙｃｌｉｃ  Ｓｌｅｅｐ方式における第１の制御メッセージ交換例を図９に示す。ＯＮＵ２が起動モードである場合には、上りキューに格納されているデータ量をＯＬＴ１へ通知し、ＯＬＴ１の帯域割当部１３２より割り当てられた上り帯域を利用して、データを送信する。ＯＮＵ２のＭＰＣＰ部２３１からＲｅｐｏｒｔメッセージを送信することでデータ量の通知を行う。またＯＬＴ１のＭＰＣＰ部１３１からＧａｔｅメッセージを送信することで、上り割当帯域の通知を行う。
【００２０】
ＯＬＴ１の当該ＯＮＵ２宛て下りキューにデータが無くなり、かつＯＮＵ２の上りキューにデータが無くなった場合、ＯＬＴ１は該ＯＮＵ２に対して省電力モードへの移行を許可するＳｌｅｅｐ  Ａｌｌｏｗメッセージを送信する。ＯＮＵ２は省電力モードへの移行が可能であると判断した場合、Ｓｌｅｅｐ  ＲｅｑｕｅｓｔメッセージをＯＬＴ１へ送信し、Ｔｓ１秒間の省電力状態へと遷移する。例えば、省電力期間Ｔｓ１は、１０ミリ秒から１００ミリ秒に設定する。
【００２１】
Ｔｓ１秒経過後に、ＯＮＵ２はＴａ１秒間の起動状態に遷移し、ＯＬＴ１からのＧａｔｅメッセージ（省電力状態では、ＯＬＴ１がＧａｔｅメッセージを送信しても、ＯＮＵ２はＧａｔｅメッセージを受信できない。）およびＳｌｅｅｐ  Ａｌｌｏｗメッセージを受信する。例えば、起動時間Ｔａ１はＯＬＴ１とＯＮＵ２の時刻誤差を考慮して、数ミリ秒以下に設定することが望ましい。ＯＬＴ１はＳｌｅｅｐ  Ａｌｌｏｗメッセージを、例えば、Ｔａ１＋Ｔｓ１秒間の周期で送信する。ＯＮＵ２は、Ｓｌｅｅｐ  Ａｌｌｏｗメッセージを受信した際、上りキューにデータが無ければ、ＡＣＫメッセージをＯＬＴ１へ送信し、再びＴｓ１秒間の省電力状態へと遷移する。
【００２２】
Ｔｓ２秒後（Ｔｓ２＜Ｔｓ１）に上りトラヒックが発生した場合には、ＯＮＵ２は上りキュー内のデータ量をＲｅｐｏｒｔメッセージによりＯＬＴ１へ通知する。ただし、ＡＣＫメッセージおよびＲｅｐｏｒｔメッセージを送信するための上り帯域は、ＯＮＵ２の省電力状態及び起動状態のいずれに関わらず、Ｓｌｅｅｐ  Ａｌｌｏｗ送信周期よりも短い間隔でＯＬＴ１より送信されているＧａｔｅメッセージにより定期的に割り当てられている。ＯＮＵ２は、ＯＬＴ１の帯域割当部１３２による上り帯域割当を待ち、Ｇａｔｅメッセージによる上り帯域割当通知の後に、上りデータを送信する。
【００２３】
なお、Ｓｌｅｅｐ  Ａｌｌｏｗメッセージ、Ｓｌｅｅｐ  Ｒｅｑｕｅｓｔメッセージ、ＡＣＫメッセージの送受信には、ＯＬＴ１及びＯＮＵ２のＭＰＣＰ部１３１、２３１の機能を利用したＭＰＣＰメッセージを用いてもよいし、ＯＬＴ１及びＯＮＵ２のＯＡＭ部１３３、２３２の機能を利用したＯＡＭメッセージ（拡張ＯＡＭ）メッセージを用いてもよいし、それ以外の任意の制御メッセージを用いてもよい。
【００２４】
従来のＣｙｃｌｉｃ  Ｓｌｅｅｐ方式における第２の制御メッセージ交換例を図１０に示す。ＯＮＵ２が起動モードである場合には、上りキューに格納されているデータ量をＯＬＴ１へ通知し、ＯＬＴ１の帯域割当部１３２より割り当てられた上り帯域を利用して、データを送信する。ＯＮＵ２のＭＰＣＰ部２３１からＲｅｐｏｒｔメッセージを送信することでデータ量の通知を行う。またＯＬＴ１のＭＰＣＰ部１３１からＧａｔｅメッセージを送信することで、上り割当帯域の通知を行う。
【００２５】
ＯＬＴ１の当該ＯＮＵ２宛て下りキューにデータが無くなり、かつＯＮＵ２の上りキューにデータが無くなった場合、ＯＬＴ１は該ＯＮＵ２に対して省電力モードへの移行を許可するＳｌｅｅｐ  Ａｌｌｏｗメッセージを送信する。ＯＮＵ２は省電力モードへの移行が可能であると判断した場合、Ｓｌｅｅｐ  ＲｅｑｕｅｓｔメッセージをＯＬＴ１へ送信し、Ｔｓ１秒間の省電力状態へと遷移する。例えば、省電力期間Ｔｓ１は、１０ミリ秒から１００ミリ秒に設定する。
【００２６】
Ｔｓ１秒経過後に、ＯＮＵ２はＴａ１秒間の起動状態に遷移し、ＯＬＴ１からのＧａｔｅメッセージ（省電力状態では、ＯＬＴ１がＧａｔｅメッセージを送信しても、ＯＮＵ２はＧａｔｅメッセージを受信できない。）およびＳｌｅｅｐ  Ａｌｌｏｗメッセージを受信する。例えば、起動時間Ｔａ１はＯＬＴ１とＯＮＵ２の時刻誤差を考慮して、数ミリ秒以下に設定することが望ましい。ＯＬＴ１はＳｌｅｅｐ  Ａｌｌｏｗメッセージを、例えば、Ｔａ１＋Ｔｓ１秒間の周期で送信する。ＯＮＵ２は、Ｓｌｅｅｐ  Ａｌｌｏｗメッセージを受信した際、上りキューにデータが無ければ、再びＴｓ１秒間の省電力状態へと遷移する。
【００２７】
Ｔｓ２秒後（Ｔｓ２＜Ｔｓ１）に上りトラヒックが発生した場合には、ＯＮＵ２は上りキュー内のデータ量をＲｅｐｏｒｔメッセージによりＯＬＴ１へ通知する。ただし、Ｒｅｐｏｒｔメッセージを送信するための上り帯域は、ＯＮＵ２の省電力状態及び起動状態のいずれに関わらず、Ｓｌｅｅｐ  Ａｌｌｏｗ送信周期よりも短い間隔でＯＬＴ１より送信されているＧａｔｅメッセージにより定期的に割り当てられている。ＯＮＵ２は、ＯＬＴ１の帯域割当部１３２による上り帯域割当を待ち、Ｇａｔｅメッセージによる上り帯域割当通知の後に、上りデータを送信する。
【００２８】
なお、Ｓｌｅｅｐ  Ａｌｌｏｗメッセージ、Ｓｌｅｅｐ  Ｒｅｑｕｅｓｔメッセージの送受信には、ＯＬＴ１及びＯＮＵ２のＭＰＣＰ部１３１、２３１の機能を利用したＭＰＣＰメッセージを用いてもよいし、ＯＬＴ１及びＯＮＵ２のＯＡＭ部１３３、２３２の機能を利用したＯＡＭメッセージ（拡張ＯＡＭ）メッセージを用いてもよいし、それ以外の任意の制御メッセージを用いてもよい。
【先行技術文献】
【非特許文献】
【００２９】
【非特許文献１】Ｙｏｕｎｇ−Ｊｉｎ  Ｋｉｍ，  Ｍａｒｉｎａ  Ｔｈｏｔｔａｎ，  Ｖｌａｄｉｍｉｒ  Ｋｏｌｅｓｎｉｋｏｖ，  Ｗｏｎｓｕｃｋ  Ｌｅｅ，  “Ａ  ｓｅｃｕｒｅ  ｄｅｃｅｎｔｒａｌｉｚｅｄ  ｄａｔａ−ｃｅｎｔｒｉｃ  ｉｎｆｏｒｍａｔｉｏｎ  ｉｎｆｒａｓｔｒｕｃｔｕｒｅ  ｆｏｒ  ｓｍａｒｔ  ｇｒｉｄ，”  Ｃｏｍｍｕｎｉｃａｔｉｏｎｓ  Ｍａｇａｚｉｎｅ，  Ｖｏｌ．  ４８，  Ｎｏ．  １１，  ｐｐ．  ５８−６５，  Ｎｏｖｅｍｂｅｒ  ２０１０．
【非特許文献２】Ｔｓｕｔｏｍｕ  Ｔａｔｓｕｔａ，  Ｎｏｒｉｙｕｋｉ  Ｏｏｔａ，  Ｎｏｒｉｋｉ  Ｍｉｋｉ，  Ｋｉｙｏｍｉ  Ｋｕｍｏｚａｋｉ，  “Ｄｅｓｉｇｎ  Ｐｈｉｌｏｓｏｐｈｙ  ａｎｄ  ｐｅｒｆｏｒｍａｎｃｅ  ｏｆ  ａ  ＧＥ−ＰＯＮ  ｓｙｓｔｅｍ  ｆｏｒ  ｍａｓｓ  ｄｅｐｌｏｙｍｅｎｔ，”  Ｊｏｕｒｎａｌ  ｏｆ  Ｏｐｔｉｃａｌ  Ｎｅｔｗｏｒｋｉｎｇ，  Ｖｏｌ．  ６，  Ｎｏ．  ６，  ｐｐ．  ６８９−７００，  Ｊｕｎｅ  ２００７．
【非特許文献３】ＩＴＵ−Ｔ  Ｒｅｃｏｍｍｅｎｄａｔｉｏｎ  Ｇ  Ｓｕｐｐｌ．  ４５，  “Ｓｕｐｐｌｅｍｅｎｔ  ｏｎ  ＧＰＯＮ  ｐｏｗｅｒ  ｃｏｎｓｅｒｖａｔｉｏｎ，”  Ｍａｙ  ２００９．
【非特許文献４】Ｒｙｏｇｏ  Ｋｕｂｏ，  Ｊｕｎ−ｉｃｈｉ  Ｋａｎｉ，  Ｈｉｒｏｔａｋａ  Ｕｊｉｋａｗａ，  Ｔａｋｅｓｈｉ  Ｓａｋａｍｏｔｏ，  Ｙｕｋｉｈｉｒｏ  Ｆｕｊｉｍｏｔｏ，  Ｎａｏｔｏ  Ｙｏｓｈｉｍｏｔｏ，  Ｈｉｓａｙａ  Ｈａｄａｍａ，  “Ｓｔｕｄｙ  ａｎｄ  ｄｅｍｏｎｓｔｒａｔｉｏｎ  ｏｆ  ｓｌｅｅｐ  ａｎｄ  ａｄａｐｔｉｖｅ  ｌｉｎｋ  ｒａｔｅ  ｃｏｎｔｒｏｌ  ｍｅｃｈａｎｉｓｍｓ  ｆｏｒ  ｅｎｅｒｇｙ  ｅｆｆｉｃｉｅｎｔ  １０Ｇ−ＥＰＯＮ，”  ＩＥＥＥ／ＯＳＡ  Ｊｏｕｒｎａｌ  ｏｆ  Ｏｐｔｉｃａｌ  Ｃｏｍｍｕｎｉｃａｔｉｏｎｓ  ａｎｄ  Ｎｅｔｗｏｒｋｉｎｇ，  Ｖｏｌ．  ２，  Ｎｏ．  ９，  ｐｐ．  ７１６−７２９，  Ｓｅｐｔｅｍｂｅｒ  ２０１０．
【発明の概要】
【発明が解決しようとする課題】
【００３０】
しかしながら、省電力モードのＯＮＵは、低速の上りデータが流入した場合、一度起動モードへ遷移し、ＯＬＴからの上り帯域割当を待機しなければならないため、ＯＮＵの起動時間が長くなり省電力効果が低減されてしまうという課題があった。また、低速のデータが高頻度でやり取りされることから、ＯＮＵは高頻度で省電力モードと起動モードの間の状態遷移を行う必要が発生し、省電力効果が低下するという課題があった。さらに、上り帯域割当を待機する期間、上りデータはＯＮＵのキュー内に格納され続けるため、キューイング遅延が増大してしまうという課題があった。
【００３１】
そこで、前記課題を解決するために、本発明は、低速の上りデータが高頻度でやり取りされる中で、省電力効果を維持しつつ、キューイング遅延を低減することができる光ネットワークシステム及び光ネットワーク終端装置を提供することを目的とする。
【課題を解決するための手段】
【００３２】
上記目的を達成するために、ＯＮＵは、省電力状態においてＯＬＴへの上りデータを蓄積したときに、ＯＬＴがＯＮＵに当該省電力状態において割り当てた上り帯域に基づいて、当該省電力状態の後の起動状態において、ＯＬＴへの上りデータをＯＬＴへの制御メッセージのペイロード領域に格納して、ＯＬＴへの制御メッセージを送信することとした。
【００３３】
具体的には、本発明は、１個の光加入者線終端装置及び複数の光ネットワーク終端装置が、光ファイバ伝送路を介してポイントツーマルチポイントの通信を行う光ネットワークシステムであって、前記光加入者線終端装置は、各光ネットワーク終端装置に上り帯域を割り当て、各光ネットワーク終端装置は、前記光加入者線終端装置への送信を行わない省電力状態及び前記光加入者線終端装置への送信を行う起動状態の間で状態を切り換え、省電力状態において、前記光加入者線終端装置への上りデータを蓄積したときに、前記光加入者線終端装置が各光ネットワーク終端装置に当該省電力状態において割り当てた上り帯域に基づいて、当該省電力状態の後の起動状態において、前記光加入者線終端装置が各光ネットワーク終端装置に当該起動状態において上り帯域を割り当てるのを待機せずに、前記光加入者線終端装置への上りデータを前記光加入者線終端装置への制御メッセージのペイロード領域に格納して、前記光加入者線終端装置への制御メッセージを前記光加入者線終端装置に送信することを特徴とする光ネットワークシステムである。
【００３４】
また、本発明は、光加入者線終端装置への送信を行わない省電力状態及び前記光加入者線終端装置への送信を行う起動状態の間で状態を切り換える状態切換部と、前記光加入者線終端装置への上りデータを蓄積するデータ蓄積部と、省電力状態において、前記光加入者線終端装置への上りデータが蓄積されたときに、前記光加入者線終端装置が当該省電力状態において割り当てた上り帯域に基づいて、当該省電力状態の後の起動状態において、前記光加入者線終端装置が当該起動状態において上り帯域を割り当てるのを待機せずに、前記光加入者線終端装置への上りデータを前記光加入者線終端装置への制御メッセージのペイロード領域に格納して、前記光加入者線終端装置への制御メッセージを前記光加入者線終端装置に送信するデータ送信部と、を備えることを特徴とする光ネットワーク終端装置である。
【００３５】
この構成によれば、ＯＮＵは、省電力モード中の間欠的な起動状態において、上りデータを制御メッセージのペイロード領域に格納して、制御メッセージをＯＬＴに送信するため、省電力モード及び起動モードの間の遷移を減らせる。さらに、ＯＮＵは、省電力状態において、すでに上り帯域を割り当てられているため、省電力状態の後の起動状態において、上り帯域の割り当てを待機しなくてもよく、上りデータを格納し続けなくてもよい。
【００３６】
また、本発明は、各光ネットワーク終端装置が当該省電力状態において蓄積した前記光加入者線終端装置への上りデータのサイズが、前記光加入者線終端装置が各光ネットワーク終端装置に当該省電力状態において割り当てた上り帯域で送信可能なデータのサイズより小さいときに、各光ネットワーク終端装置は、当該省電力状態の後の起動状態において、前記光加入者線終端装置への上りデータの全てを前記光加入者線終端装置に送信することを特徴とする光ネットワークシステムである。
【００３７】
また、本発明は、当該省電力状態において蓄積された前記光加入者線終端装置への上りデータのサイズが、前記光加入者線終端装置が当該省電力状態において割り当てた上り帯域で送信可能なデータのサイズより小さいときに、前記データ送信部は、当該省電力状態の後の起動状態において、前記光加入者線終端装置への上りデータの全てを前記光加入者線終端装置に送信することを特徴とする光ネットワーク終端装置である。
【００３８】
この構成によれば、ＯＮＵは、上りデータのサイズが小さいときには、１回の起動状態において、上りデータをＯＬＴに送信することができる。ここで、ＯＮＵは、１回の起動状態において、１個又は複数個の制御メッセージを利用することができる。
【００３９】
また、本発明は、各光ネットワーク終端装置が当該省電力状態において蓄積した前記光加入者線終端装置への上りデータのサイズが、前記光加入者線終端装置が各光ネットワーク終端装置に当該省電力状態において割り当てた上り帯域で送信可能なデータのサイズより大きいときに、各光ネットワーク終端装置は、当該省電力状態の後の起動状態において、前記光加入者線終端装置への上りデータの一部を前記上り帯域の範囲内で前記光加入者線終端装置に送信し、当該起動状態の後の起動状態において、前記光加入者線終端装置への上りデータの残りを前記光加入者線終端装置に送信することを特徴とする光ネットワークシステムである。
【００４０】
また、本発明は、当該省電力状態において蓄積された前記光加入者線終端装置への上りデータのサイズが、前記光加入者線終端装置が当該省電力状態において割り当てた上り帯域で送信可能なデータのサイズより大きいときに、前記データ送信部は、当該省電力状態の後の起動状態において、前記光加入者線終端装置への上りデータの一部を前記上り帯域の範囲内で前記光加入者線終端装置に送信し、当該起動状態の後の起動状態において、前記光加入者線終端装置への上りデータの残りを前記光加入者線終端装置に送信することを特徴とする光ネットワーク終端装置である。
【００４１】
この構成によれば、ＯＮＵは、上りデータのサイズが大きいときには、複数回の起動状態において、上りデータをＯＬＴに送信することができる。ここで、ＯＮＵは、各回の起動状態において、１個又は複数個の制御メッセージを利用することができる。
【００４２】
また、本発明は、各光ネットワーク終端装置は、前記光加入者線終端装置への上りデータの送信優先度に基づいて、前記光加入者線終端装置への上りデータを前記光加入者線終端装置に送信することを特徴とする光ネットワークシステムである。
【００４３】
また、本発明は、前記データ送信部は、前記光加入者線終端装置への上りデータの送信優先度に基づいて、前記光加入者線終端装置への上りデータを前記光加入者線終端装置に送信することを特徴とする光ネットワーク終端装置である。
【００４４】
この構成によれば、優先度の高い上りデータが優先的に送信される。
【発明の効果】
【００４５】
本発明は、低速の上りデータが高頻度でやり取りされる中で、省電力効果を維持しつつ、キューイング遅延を低減することができる光ネットワークシステム及び光ネットワーク終端装置を提供することができる。
【図面の簡単な説明】
【００４６】
【図１】ＰＯＮの構成を示す図である。
【図２】ＯＮＵの構成を示す図である。
【図３】ＯＬＴの構成を示す図である。
【図４】ＰＯＮ信号処理手段の構成を示す図である。
【図５】ＰＯＮ信号処理手段の構成を示す図である。
【図６】ＰＯＮ信号処理手段の構成を示す図である。
【図７】従来技術の制御メッセージ交換方法を示す図である。
【図８】従来技術の制御メッセージ交換方法を示す図である。
【図９】従来技術の制御メッセージ交換方法を示す図である。
【図１０】従来技術の制御メッセージ交換方法を示す図である。
【図１１】実施形態１の制御メッセージ交換方法を示す図である。
【図１２】実施形態２の制御メッセージ交換方法を示す図である。
【図１３】実施形態３の制御メッセージ交換方法を示す図である。
【図１４】実施形態４の制御メッセージ交換方法を示す図である。
【図１５】実施形態５の制御メッセージ交換方法を示す図である。
【図１６】実施形態６の制御メッセージ交換方法を示す図である。
【発明を実施するための形態】
【００４７】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００４８】
（実施形態１−４）
実施形態１−４の概要を説明する。ＯＮＵは、ＯＬＴへの送信を行わない省電力状態及びＯＬＴへの送信を行う起動状態の間で状態を切り換える。そして、ＯＮＵは、省電力状態において、ＯＬＴへの上りデータを蓄積したときに、ＯＬＴがＯＮＵに当該省電力状態において割り当てた上り帯域に基づいて、当該省電力状態の後の起動状態において、ＯＬＴへの上りデータをＯＬＴへの制御メッセージのペイロード領域に格納して、ＯＬＴへの制御メッセージをＯＬＴに送信する。
【００４９】
ここで、ＯＮＵが当該省電力状態において蓄積したＯＬＴへの上りデータのサイズが、ＯＬＴがＯＮＵに当該省電力状態において割り当てた上り帯域で送信可能なデータのサイズより小さいときに、ＯＮＵは、当該省電力状態の後の起動状態において、ＯＬＴへの上りデータの全てをＯＬＴに送信する。なお、ＯＮＵは、１回の起動状態において、１個又は複数個の制御メッセージを利用することができる。
【００５０】
（実施形態１）
Ｄｏｚｉｎｇ方式を採用したＯＮＵにおいて、省電力モード期間中に流入した上りデータサイズが、１個の制御メッセージフレームのペイロードサイズ以下である場合を考える。この場合の制御メッセージ交換例を図１１に示す。
【００５１】
ＯＮＵ２の上りキューにデータが無くなった場合、ＯＬＴ１はＯＮＵ２に対して省電力モードへの移行を許可するＳｌｅｅｐ  Ａｌｌｏｗメッセージを送信する。ＯＮＵ２は省電力モードへの移行が可能であると判断した場合、Ｓｌｅｅｐ  ＲｅｑｕｅｓｔメッセージをＯＬＴ１へ送信し、Ｔｓ１秒間の省電力状態へと遷移する。例えば、省電力期間Ｔｓ１は、１０ミリ秒から１００ミリ秒に設定する。
【００５２】
Ｔｓ１秒経過後に、ＯＮＵ２はＴａ１秒間の起動状態に遷移し、ＯＬＴ１からのＳｌｅｅｐ  Ａｌｌｏｗメッセージを受信する。例えば、起動時間Ｔａ１はＯＬＴ１とＯＮＵ２の時刻誤差を考慮して、数ミリ秒以下に設定することが望ましい。ＯＬＴ１はＳｌｅｅｐ  Ａｌｌｏｗメッセージを、例えば、Ｔａ１＋Ｔｓ１秒間の周期で送信する。
【００５３】
ＯＮＵ２は、Ｓｌｅｅｐ  Ａｌｌｏｗメッセージを受信した際、上りキューに格納されたデータが１個のＡＣＫメッセージフレームのペイロードサイズ以下である場合、ＡＣＫメッセージのペイロード領域に上りデータを格納してＯＬＴ１へ送信し、再びＴｓ１秒間の省電力状態へと遷移する。あるいは、ＯＮＵ２は、上りキューに格納されたデータが１個のＲｅｐｏｒｔメッセージフレームのペイロードサイズ以下である場合、Ｓｌｅｅｐ  Ａｌｌｏｗメッセージの受信を待たずに、起動状態に遷移したうえで、定期的にＧａｔｅメッセージにより割り当てられている上り帯域を利用して、Ｒｅｐｏｒｔメッセージのペイロード領域に上りデータを格納してＯＬＴ１へ送信してもよい。
【００５４】
Ｔｓ２秒後（Ｔｓ２＜Ｔｓ１）に上りキューに格納されたデータが、１個のＡＣＫメッセージフレームのペイロードサイズより大きくなった場合には、ＯＮＵ２は上りキュー内のデータ量をＲｅｐｏｒｔメッセージによりＯＬＴ１へ通知する。ただし、ＡＣＫメッセージおよびＲｅｐｏｒｔメッセージを送信するための上り帯域は、ＯＮＵ２の省電力状態及び起動状態のいずれに関わらず、Ｓｌｅｅｐ  Ａｌｌｏｗ送信周期よりも短い間隔で、ＯＬＴ１より送信されているＧａｔｅメッセージにより定期的に割り当てられている。
【００５５】
なお、Ｓｌｅｅｐ  Ａｌｌｏｗメッセージ、Ｓｌｅｅｐ  Ｒｅｑｕｅｓｔメッセージ、ＡＣＫメッセージの送受信には、ＯＬＴ１及びＯＮＵ２のＭＰＣＰ部１３１、２３１の機能を利用したＭＰＣＰメッセージを用いてもよいし、ＯＬＴ１及びＯＮＵ２のＯＡＭ部１３３、２３２の機能を利用したＯＡＭメッセージ（拡張ＯＡＭ）メッセージを用いてもよいし、それ以外の任意の制御メッセージを用いてもよい。
【００５６】
ＯＮＵ２は、特定の優先度を有するデータをＯＮＵ２自身が判別し、優先的に制御フレームのペイロードに格納して省電力モード期間にＯＬＴ１へ送信し、その他のデータに関しては起動後に送信してもよい。また、ＯＬＴ１は、省電力モードのＯＮＵ２に対して割り当てる上り帯域を、Ｒｅｐｏｒｔメッセージ１個分の帯域および／またはＡＣＫメッセージ１個分の固定帯域としてもよいし、Ｒｅｐｏｒｔメッセージ複数個分の帯域および／またはＡＣＫメッセージ複数個分の固定帯域としてもよいし、キューに格納されたデータ量の統計情報に基づいて動的に決定してもよい。例えば、過去一定時間の上りデータ量がしきい値を超えた場合にはＯＮＵ２を起動モードへ遷移させ、しきい値以下であった場合には上りデータ量分のペイロードを有する制御フレームを１個または複数個送信可能な帯域を省電力モードのＯＮＵ２に対して割り当てる。
【００５７】
実施形態１は、図７に示した従来のＤｏｚｉｎｇ方式における第１の制御メッセージ交換例に本発明を適用する場合について説明したが、図８に示した従来のＤｏｚｉｎｇ方式における第２の制御メッセージ交換例にも本発明を適用可能であることは明らかである。
【００５８】
（実施形態２）
Ｃｙｃｌｉｃ  Ｓｌｅｅｐ方式を採用したＯＮＵにおいて、省電力モード期間中に流入した上りデータサイズが、１個の制御メッセージフレームのペイロードサイズ以下である場合を考える。この場合の制御メッセージ交換例を図１２に示す。
【００５９】
ＯＬＴ１の当該ＯＮＵ２宛て下りキューにデータが無くなり、かつＯＮＵ２の上りキューにデータが無くなった場合、ＯＬＴ１は該ＯＮＵ２に対して省電力モードへの移行を許可するＳｌｅｅｐ  Ａｌｌｏｗメッセージを送信する。ＯＮＵ２は省電力モードへの移行が可能であると判断した場合、Ｓｌｅｅｐ  ＲｅｑｕｅｓｔメッセージをＯＬＴ１へ送信し、Ｔｓ１秒間の省電力状態へと遷移する。例えば、省電力期間Ｔｓ１は、１０ミリ秒から１００ミリ秒に設定する。
【００６０】
Ｔｓ１秒経過後に、ＯＮＵ２はＴａ１秒間の起動状態に遷移し、ＯＬＴ１からのＧａｔｅメッセージ（省電力状態では、ＯＬＴ１がＧａｔｅメッセージを送信しても、ＯＮＵ２はＧａｔｅメッセージを受信できない。）およびＳｌｅｅｐ  Ａｌｌｏｗメッセージを受信する。例えば、起動時間Ｔａ１はＯＬＴ１とＯＮＵ２の時刻誤差を考慮して、数ミリ秒以下に設定することが望ましい。ＯＬＴ１はＳｌｅｅｐ  Ａｌｌｏｗメッセージを、例えば、Ｔａ１＋Ｔｓ１秒間の周期で送信する。
【００６１】
ＯＮＵ２は、Ｓｌｅｅｐ  Ａｌｌｏｗメッセージを受信した際、上りキューに格納されたデータが１個のＡＣＫメッセージフレームのペイロードサイズ以下である場合、ＡＣＫメッセージのペイロード領域に上りデータを格納してＯＬＴ１へ送信し、再びＴｓ１秒間の省電力状態へと遷移する。あるいは、ＯＮＵ２は、上りキューに格納されたデータが１個のＲｅｐｏｒｔメッセージフレームのペイロードサイズ以下である場合、Ｓｌｅｅｐ  Ａｌｌｏｗメッセージの受信を待たずに、起動状態に遷移したうえで、定期的にＧａｔｅメッセージにより割り当てられている上り帯域を利用して、Ｒｅｐｏｒｔメッセージのペイロード領域に上りデータを格納してＯＬＴ１へ送信してもよい。
【００６２】
Ｔｓ２秒後（Ｔｓ２＜Ｔｓ１）に上りキューに格納されたデータが、１個のＡＣＫメッセージフレームのペイロードサイズより大きくなった場合には、ＯＮＵ２は上りキュー内のデータ量をＲｅｐｏｒｔメッセージによりＯＬＴ１へ通知する。ただし、ＡＣＫメッセージおよびＲｅｐｏｒｔメッセージを送信するための上り帯域は、ＯＮＵ２の省電力状態及び起動状態のいずれに関わらず、Ｓｌｅｅｐ  Ａｌｌｏｗ送信周期よりも短い間隔で、ＯＬＴ１より送信されているＧａｔｅメッセージにより定期的に割り当てられている。
【００６３】
なお、Ｓｌｅｅｐ  Ａｌｌｏｗメッセージ、Ｓｌｅｅｐ  Ｒｅｑｕｅｓｔメッセージ、ＡＣＫメッセージの送受信には、ＯＬＴ１及びＯＮＵ２のＭＰＣＰ部１３１、２３１の機能を利用したＭＰＣＰメッセージを用いてもよいし、ＯＬＴ１及びＯＮＵ２のＯＡＭ部１３３、２３２の機能を利用したＯＡＭメッセージ（拡張ＯＡＭ）メッセージを用いてもよいし、それ以外の任意の制御メッセージを用いてもよい。
【００６４】
ＯＮＵ２は、特定の優先度を有するデータをＯＮＵ２自身が判別し、優先的に制御フレームのペイロードに格納して省電力モード期間にＯＬＴ１へ送信し、その他のデータに関しては起動後に送信してもよい。また、ＯＬＴ１は、省電力モードのＯＮＵ２に対して割り当てる上り帯域を、Ｒｅｐｏｒｔメッセージ１個分の帯域および／またはＡＣＫメッセージ１個分の固定帯域としてもよいし、Ｒｅｐｏｒｔメッセージ複数個分の帯域および／またはＡＣＫメッセージ複数個分の固定帯域としてもよいし、キューに格納されたデータ量の統計情報に基づいて動的に決定してもよい。例えば、過去一定時間の上りデータ量がしきい値を超えた場合にはＯＮＵ２を起動モードへ遷移させ、しきい値以下であった場合には上りデータ量分のペイロードを有する制御フレームを１個または複数個送信可能な帯域を省電力モードのＯＮＵ２に対して割り当てる。
【００６５】
実施形態２は、図９に示した従来のＣｙｃｌｉｃ  Ｓｌｅｅｐ方式における第１の制御メッセージ交換例に本発明を適用する場合について説明したが、図１０に示した従来のＣｙｃｌｉｃ  Ｓｌｅｅｐ方式における第２の制御メッセージ交換例にも本発明を適用可能であることは明らかである。
【００６６】
（実施形態３）
Ｄｏｚｉｎｇ方式を採用したＯＮＵにおいて、省電力モード期間中に流入した上りデータサイズが、１個の制御メッセージフレームのペイロードサイズより大きい場合を考える。ＯＮＵは、複数の制御フレームに分割して、かつ同一割当周期で割り当てられた上り帯域を利用して上りデータを送信する。この場合の制御メッセージ交換例を図１３に示す。
【００６７】
ＯＮＵ２の上りキューにデータが無くなった場合、ＯＬＴ１はＯＮＵ２に対して省電力モードへの移行を許可するＳｌｅｅｐ  Ａｌｌｏｗメッセージを送信する。ＯＮＵ２は省電力モードへの移行が可能であると判断した場合、Ｓｌｅｅｐ  ＲｅｑｕｅｓｔメッセージをＯＬＴ１へ送信し、Ｔｓ１秒間の省電力状態へと遷移する。例えば、省電力期間Ｔｓ１は、１０ミリ秒から１００ミリ秒に設定する。
【００６８】
Ｔｓ１秒経過後に、ＯＮＵ２はＴａ１秒間の起動状態に遷移し、ＯＬＴ１からのＳｌｅｅｐ  Ａｌｌｏｗメッセージを受信する。例えば、起動時間Ｔａ１はＯＬＴ１とＯＮＵ２の時刻誤差を考慮して、数ミリ秒以下に設定することが望ましい。ＯＬＴ１はＳｌｅｅｐ  Ａｌｌｏｗメッセージを、例えば、Ｔａ１＋Ｔｓ１秒間の周期で送信する。
【００６９】
ＯＮＵ２は、Ｓｌｅｅｐ  Ａｌｌｏｗメッセージを受信した際、上りキューに格納されたデータが１個のＡＣＫメッセージフレームのペイロードサイズより大きく、ＯＬＴ１の帯域割当部１３２より割り当てられた帯域で送信可能なデータ量以下である場合、複数の制御メッセージのペイロード領域に上りデータを格納してＯＬＴ１へ送信し、再びＴｓ１秒間の省電力状態へと遷移する。あるいは、ＯＮＵ２は、上りキューに格納されたデータが１個のＲｅｐｏｒｔメッセージフレームのペイロードサイズより大きく、ＯＬＴ１の帯域割当部１３２より割り当てられた帯域で送信可能なデータ量以下である場合、Ｓｌｅｅｐ  Ａｌｌｏｗメッセージの受信を待たずに、起動状態に遷移したうえで、定期的にＧａｔｅメッセージにより割り当てられている上り帯域を利用して、複数の制御メッセージのペイロード領域に上りデータを格納してＯＬＴ１へ送信してもよい。例えば、制御メッセージとしては、拡張ＯＡＭ（ｅＯＡＭ）メッセージを用いることができる。
【００７０】
Ｔｓ２秒後（Ｔｓ２＜Ｔｓ１）に上りキューに格納されたデータが、ＯＬＴ１の帯域割当部１３２より割り当てられた帯域で送信可能なデータ量より大きくなった場合には、ＯＮＵ２は上りキュー内のデータ量をＲｅｐｏｒｔメッセージによりＯＬＴ１へ通知する。ただし、ＡＣＫメッセージおよびＲｅｐｏｒｔメッセージを送信するための上り帯域は、ＯＮＵ２の省電力状態及び起動状態のいずれに関わらず、Ｓｌｅｅｐ  Ａｌｌｏｗ送信周期よりも短い間隔で、ＯＬＴ１より送信されているＧａｔｅメッセージにより定期的に割り当てられている。
【００７１】
なお、Ｓｌｅｅｐ  Ａｌｌｏｗメッセージ、Ｓｌｅｅｐ  Ｒｅｑｕｅｓｔメッセージ、ＡＣＫメッセージの送受信には、ＯＬＴ１及びＯＮＵ２のＭＰＣＰ部１３１、２３１の機能を利用したＭＰＣＰメッセージを用いてもよいし、ＯＬＴ１及びＯＮＵ２のＯＡＭ部１３３、２３２の機能を利用したＯＡＭメッセージ（拡張ＯＡＭ）メッセージを用いてもよいし、それ以外の任意の制御メッセージを用いてもよい。
【００７２】
ＯＮＵ２は、特定の優先度を有するデータをＯＮＵ２自身が判別し、優先的に制御フレームのペイロードに格納して省電力モード期間にＯＬＴ１へ送信し、その他のデータに関しては起動後に送信してもよい。また、ＯＬＴ１は、省電力モードのＯＮＵ２に対して割り当てる上り帯域を、Ｒｅｐｏｒｔメッセージ複数個分の帯域および／またはＡＣＫメッセージ複数個分の固定帯域としてもよいし、キューに格納されたデータ量の統計情報に基づいて動的に決定してもよい。例えば、過去一定時間の上りデータ量がしきい値を超えた場合にはＯＮＵ２を起動モードへ遷移させ、しきい値以下であった場合には上りデータ量分のペイロードを有する制御フレームを１個または複数個送信可能な帯域を省電力モードのＯＮＵ２に対して割り当てる。
【００７３】
実施形態３は、図７に示した従来のＤｏｚｉｎｇ方式における第１の制御メッセージ交換例に本発明を適用する場合について説明したが、図８に示した従来のＤｏｚｉｎｇ方式における第２の制御メッセージ交換例にも本発明を適用可能であることは明らかである。
【００７４】
（実施形態４）
Ｃｙｃｌｉｃ  Ｓｌｅｅｐ方式を採用したＯＮＵにおいて、省電力モード期間中に流入した上りデータサイズが、１個の制御メッセージフレームのペイロードサイズより大きい場合を考える。ＯＮＵは、複数の制御フレームに分割して、かつ同一割当周期で割り当てられた上り帯域を利用して上りデータを送信する。この場合の制御メッセージ交換例を図１４に示す。
【００７５】
ＯＬＴ１の当該ＯＮＵ２宛て下りキューにデータが無くなり、かつＯＮＵ２の上りキューにデータが無くなった場合、ＯＬＴ１は該ＯＮＵ２に対して省電力モードへの移行を許可するＳｌｅｅｐ  Ａｌｌｏｗメッセージを送信する。ＯＮＵ２は省電力モードへの移行が可能であると判断した場合、Ｓｌｅｅｐ  ＲｅｑｕｅｓｔメッセージをＯＬＴ１へ送信し、Ｔｓ１秒間の省電力状態へと遷移する。例えば、省電力期間Ｔｓ１は、１０ミリ秒から１００ミリ秒に設定する。
【００７６】
Ｔｓ１秒経過後に、ＯＮＵ２はＴａ１秒間の起動状態に遷移し、ＯＬＴ１からのＧａｔｅメッセージ（省電力状態では、ＯＬＴ１がＧａｔｅメッセージを送信しても、ＯＮＵ２はＧａｔｅメッセージを受信できない。）およびＳｌｅｅｐ  Ａｌｌｏｗメッセージを受信する。例えば、起動時間Ｔａ１はＯＬＴ１とＯＮＵ２の時刻誤差を考慮して、数ミリ秒以下に設定することが望ましい。ＯＬＴ１はＳｌｅｅｐ  Ａｌｌｏｗメッセージを、例えば、Ｔａ１＋Ｔｓ１秒間の周期で送信する。
【００７７】
ＯＮＵ２は、Ｓｌｅｅｐ  Ａｌｌｏｗメッセージを受信した際、上りキューに格納されたデータが１個のＡＣＫメッセージフレームのペイロードサイズより大きく、ＯＬＴ１の帯域割当部１３２より割り当てられた帯域で送信可能なデータ量以下である場合、複数の制御メッセージのペイロード領域に上りデータを格納してＯＬＴ１へ送信し、再びＴｓ１秒間の省電力状態へと遷移する。あるいは、ＯＮＵ２は、上りキューに格納されたデータが１個のＲｅｐｏｒｔメッセージフレームのペイロードサイズより大きく、ＯＬＴ１の帯域割当部１３２より割り当てられた帯域で送信可能なデータ量以下である場合、Ｓｌｅｅｐ  Ａｌｌｏｗメッセージの受信を待たずに、起動状態に遷移したうえで、定期的にＧａｔｅメッセージにより割り当てられている上り帯域を利用して、複数の制御メッセージのペイロード領域に上りデータを格納してＯＬＴ１へ送信してもよい。例えば、制御メッセージとしては、拡張ＯＡＭ（ｅＯＡＭ）メッセージを用いることができる。
【００７８】
Ｔｓ２秒後（Ｔｓ２＜Ｔｓ１）に上りキューに格納されたデータが、ＯＬＴ１の帯域割当部１３２より割り当てられた帯域で送信可能なデータ量より大きくなった場合には、ＯＮＵ２は上りキュー内のデータ量をＲｅｐｏｒｔメッセージによりＯＬＴ１へ通知する。ただし、ＡＣＫメッセージおよびＲｅｐｏｒｔメッセージを送信するための上り帯域は、ＯＮＵ２の省電力状態及び起動状態のいずれに関わらず、Ｓｌｅｅｐ  Ａｌｌｏｗ送信周期よりも短い間隔で、ＯＬＴ１より送信されているＧａｔｅメッセージにより定期的に割り当てられている。
【００７９】
なお、Ｓｌｅｅｐ  Ａｌｌｏｗメッセージ、Ｓｌｅｅｐ  Ｒｅｑｕｅｓｔメッセージ、ＡＣＫメッセージの送受信には、ＯＬＴ１及びＯＮＵ２のＭＰＣＰ部１３１、２３１の機能を利用したＭＰＣＰメッセージを用いてもよいし、ＯＬＴ１及びＯＮＵ２のＯＡＭ部１３３、２３２の機能を利用したＯＡＭメッセージ（拡張ＯＡＭ）メッセージを用いてもよいし、それ以外の任意の制御メッセージを用いてもよい。
【００８０】
ＯＮＵ２は、特定の優先度を有するデータをＯＮＵ２自身が判別し、優先的に制御フレームのペイロードに格納して省電力モード期間にＯＬＴ１へ送信し、その他のデータに関しては起動後に送信してもよい。また、ＯＬＴ１は、省電力モードのＯＮＵ２に対して割り当てる上り帯域を、Ｒｅｐｏｒｔメッセージ複数個分の帯域および／またはＡＣＫメッセージ複数個分の固定帯域としてもよいし、キューに格納されたデータ量の統計情報に基づいて動的に決定してもよい。例えば、過去一定時間の上りデータ量がしきい値を超えた場合にはＯＮＵ２を起動モードへ遷移させ、しきい値以下であった場合には上りデータ量分のペイロードを有する制御フレームを１個または複数個送信可能な帯域を省電力モードのＯＮＵ２に対して割り当てる。
【００８１】
実施形態４は、図９に示した従来のＣｙｃｌｉｃ  Ｓｌｅｅｐ方式における第１の制御メッセージ交換例に本発明を適用する場合について説明したが、図１０に示した従来のＣｙｃｌｉｃ  Ｓｌｅｅｐ方式における第２の制御メッセージ交換例にも本発明を適用可能であることは明らかである。
【００８２】
（実施形態５、６）
実施形態５、６の概要を説明する。ＯＮＵは、ＯＬＴへの送信を行わない省電力状態及びＯＬＴへの送信を行う起動状態の間で状態を切り換える。そして、ＯＮＵは、省電力状態において、ＯＬＴへの上りデータを蓄積したときに、ＯＬＴがＯＮＵに当該省電力状態において割り当てた上り帯域に基づいて、当該省電力状態の後の起動状態において、ＯＬＴへの上りデータをＯＬＴへの制御メッセージのペイロード領域に格納して、ＯＬＴへの制御メッセージをＯＬＴに送信する。
【００８３】
ここで、ＯＮＵが当該省電力状態において蓄積したＯＬＴへの上りデータのサイズが、ＯＬＴがＯＮＵに当該省電力状態において割り当てた上り帯域で送信可能なデータのサイズより大きいときに、ＯＮＵは、当該省電力状態の後の起動状態において、ＯＬＴへの上りデータの一部を当該上り帯域の範囲内でＯＬＴに送信し、当該起動状態の後の起動状態において、ＯＬＴへの上りデータの残りをＯＬＴに送信する。なお、ＯＮＵは、各回の起動状態において、１個又は複数個の制御メッセージを利用することができる。
【００８４】
（実施形態５）
Ｄｏｚｉｎｇ方式を採用したＯＮＵにおいて、省電力モード期間中に流入した上りデータサイズが、１個の制御メッセージフレームのペイロードサイズより大きい場合を考える。ＯＮＵは、複数の制御フレームに分割して、かつ複数の割当周期にわたって割り当てられた上り帯域を利用して上りデータを送信する。この場合の制御メッセージ交換例を図１５に示す。
【００８５】
ＯＮＵ２の上りキューにデータが無くなった場合、ＯＬＴ１はＯＮＵ２に対して省電力モードへの移行を許可するＳｌｅｅｐ  Ａｌｌｏｗメッセージを送信する。ＯＮＵ２は省電力モードへの移行が可能であると判断した場合、Ｓｌｅｅｐ  ＲｅｑｕｅｓｔメッセージをＯＬＴ１へ送信し、Ｔｓ１秒間の省電力状態へと遷移する。例えば、省電力期間Ｔｓ１は、１０ミリ秒から１００ミリ秒に設定する。
【００８６】
Ｔｓ１秒経過後に、ＯＮＵ２はＴａ１秒間の起動状態に遷移し、ＯＬＴ１からのＳｌｅｅｐ  Ａｌｌｏｗメッセージを受信する。例えば、起動時間Ｔａ１はＯＬＴ１とＯＮＵ２の時刻誤差を考慮して、数ミリ秒以下に設定することが望ましい。ＯＬＴ１はＳｌｅｅｐ  Ａｌｌｏｗメッセージを、例えば、Ｔａ１＋Ｔｓ１秒間の周期で送信する。
【００８７】
ＯＮＵ２は、Ｓｌｅｅｐ  Ａｌｌｏｗメッセージを受信した際、上りキューに格納されたデータが１個のＡＣＫメッセージフレームのペイロードサイズより大きく、ＯＬＴ１の帯域割当部１３２より割り当てられた帯域で送信可能なデータ量より大きい場合、制御メッセージのペイロード領域に上りデータを格納して一部のデータをＯＬＴ１へ送信し、Ｔｓ１秒間の省電力状態へと遷移した後、再び省電力状態が終了した際に、残りのデータを送信する。
【００８８】
あるいは、ＯＮＵ２は、上りキューに格納されたデータが１個のＲｅｐｏｒｔメッセージフレームのペイロードサイズより大きく、ＯＬＴ１の帯域割当部１３２より割り当てられた帯域で送信可能なデータ量より大きい場合、Ｓｌｅｅｐ  Ａｌｌｏｗメッセージの受信を待たずに、起動状態に遷移したうえで、定期的にＧａｔｅメッセージにより割り当てられている上り帯域を利用して、複数のＲｅｐｏｒｔメッセージのペイロード領域に上りデータを格納してＯＬＴ１へ送信してもよい。ただし、ＡＣＫメッセージおよびＲｅｐｏｒｔメッセージを送信するための上り帯域は、ＯＮＵ２の省電力状態及び起動状態のいずれに関わらず、Ｓｌｅｅｐ  Ａｌｌｏｗ送信周期よりも短い間隔で、ＯＬＴ１より送信されているＧａｔｅメッセージにより定期的に割り当てられている。
【００８９】
なお、Ｓｌｅｅｐ  Ａｌｌｏｗメッセージ、Ｓｌｅｅｐ  Ｒｅｑｕｅｓｔメッセージ、ＡＣＫメッセージの送受信には、ＯＬＴ１及びＯＮＵ２のＭＰＣＰ部１３１、２３１の機能を利用したＭＰＣＰメッセージを用いてもよいし、ＯＬＴ１及びＯＮＵ２のＯＡＭ部１３３、２３２の機能を利用したＯＡＭメッセージ（拡張ＯＡＭ）メッセージを用いてもよいし、それ以外の任意の制御メッセージを用いてもよい。
【００９０】
ＯＮＵ２は、特定の優先度を有するデータをＯＮＵ２自身が判別し、優先的に制御フレームのペイロードに格納して省電力モード期間にＯＬＴ１へ送信し、その他のデータに関しては起動後に送信してもよい。また、ＯＬＴ１は、省電力モードのＯＮＵ２に対して割り当てる上り帯域を、Ｒｅｐｏｒｔメッセージ１個分の帯域および／またはＡＣＫメッセージ１個分の固定帯域としてもよいし、Ｒｅｐｏｒｔメッセージ複数個分の帯域および／またはＡＣＫメッセージ複数個分の固定帯域としてもよいし、キューに格納されたデータ量の統計情報に基づいて動的に決定してもよい。例えば、過去一定時間の上りデータ量がしきい値を超えた場合にはＯＮＵ２を起動モードへ遷移させ、しきい値以下であった場合には上りデータ量分のペイロードを有する制御フレームを１個または複数個送信可能な帯域を省電力モードのＯＮＵ２に対して割り当てる。
【００９１】
実施形態５は、図７に示した従来のＤｏｚｉｎｇ方式における第１の制御メッセージ交換例に本発明を適用する場合について説明したが、図８に示した従来のＤｏｚｉｎｇ方式における第２の制御メッセージ交換例にも本発明を適用可能であることは明らかである。
【００９２】
（実施形態６）
Ｃｙｃｌｉｃ  Ｓｌｅｅｐ方式を採用したＯＮＵにおいて、省電力モード期間中に流入した上りデータサイズが、１個の制御メッセージフレームのペイロードサイズより大きい場合を考える。ＯＮＵは、複数の制御フレームに分割して、かつ複数の割当周期にわたって割り当てられた上り帯域を利用して上りデータを送信する。この場合の制御メッセージ交換例を図１６に示す。
【００９３】
ＯＬＴ１の当該ＯＮＵ２宛て下りキューにデータが無くなり、かつＯＮＵ２の上りキューにデータが無くなった場合、ＯＬＴ１は該ＯＮＵ２に対して省電力モードへの移行を許可するＳｌｅｅｐ  Ａｌｌｏｗメッセージを送信する。ＯＮＵ２は省電力モードへの移行が可能であると判断した場合、Ｓｌｅｅｐ  ＲｅｑｕｅｓｔメッセージをＯＬＴ１へ送信し、Ｔｓ１秒間の省電力状態へと遷移する。例えば、省電力期間Ｔｓ１は、１０ミリ秒から１００ミリ秒に設定する。
【００９４】
Ｔｓ１秒経過後に、ＯＮＵ２はＴａ１秒間の起動状態に遷移し、ＯＬＴ１からのＧａｔｅメッセージ（省電力状態では、ＯＬＴ１がＧａｔｅメッセージを送信しても、ＯＮＵ２はＧａｔｅメッセージを受信できない。）およびＳｌｅｅｐ  Ａｌｌｏｗメッセージを受信する。例えば、起動時間Ｔａ１はＯＬＴ１とＯＮＵ２の時刻誤差を考慮して、数ミリ秒以下に設定することが望ましい。ＯＬＴ１はＳｌｅｅｐ  Ａｌｌｏｗメッセージを、例えば、Ｔａ１＋Ｔｓ１秒間の周期で送信する。
【００９５】
ＯＮＵ２は、Ｓｌｅｅｐ  Ａｌｌｏｗメッセージを受信した際、上りキューに格納されたデータが１個のＡＣＫメッセージフレームのペイロードサイズより大きく、ＯＬＴ１の帯域割当部１３２より割り当てられた帯域で送信可能なデータ量より大きい場合、制御メッセージのペイロード領域に上りデータを格納して一部のデータをＯＬＴ１へ送信し、Ｔｓ１秒間の省電力状態へと遷移した後、再び省電力状態が終了した際に、残りのデータを送信する。
【００９６】
あるいは、ＯＮＵ２は、上りキューに格納されたデータが１個のＲｅｐｏｒｔメッセージフレームのペイロードサイズより大きく、ＯＬＴ１の帯域割当部１３２より割り当てられた帯域で送信可能なデータ量より大きい場合、Ｓｌｅｅｐ  Ａｌｌｏｗメッセージの受信を待たずに、起動状態に遷移したうえで、定期的にＧａｔｅメッセージにより割り当てられている上り帯域を利用して、複数のＲｅｐｏｒｔメッセージのペイロード領域に上りデータを格納してＯＬＴ１へ送信してもよい。ただし、ＡＣＫメッセージおよびＲｅｐｏｒｔメッセージを送信するための上り帯域は、ＯＮＵ２の省電力状態及び起動状態のいずれに関わらず、Ｓｌｅｅｐ  Ａｌｌｏｗ送信周期よりも短い間隔で、ＯＬＴ１より送信されているＧａｔｅメッセージにより定期的に割り当てられている。
【００９７】
なお、Ｓｌｅｅｐ  Ａｌｌｏｗメッセージ、Ｓｌｅｅｐ  Ｒｅｑｕｅｓｔメッセージ、ＡＣＫメッセージの送受信には、ＯＬＴ１及びＯＮＵ２のＭＰＣＰ部１３１、２３１の機能を利用したＭＰＣＰメッセージを用いてもよいし、ＯＬＴ１及びＯＮＵ２のＯＡＭ部１３３、２３２の機能を利用したＯＡＭメッセージ（拡張ＯＡＭ）メッセージを用いてもよいし、それ以外の任意の制御メッセージを用いてもよい。
【００９８】
ＯＮＵ２は、特定の優先度を有するデータをＯＮＵ２自身が判別し、優先的に制御フレームのペイロードに格納して省電力モード期間にＯＬＴ１へ送信し、その他のデータに関しては起動後に送信してもよい。また、ＯＬＴ１は、省電力モードのＯＮＵ２に対して割り当てる上り帯域を、Ｒｅｐｏｒｔメッセージ１個分の帯域および／またはＡＣＫメッセージ１個分の固定帯域としてもよいし、Ｒｅｐｏｒｔメッセージ複数個分の帯域および／またはＡＣＫメッセージ複数個分の固定帯域としてもよいし、キューに格納されたデータ量の統計情報に基づいて動的に決定してもよい。例えば、過去一定時間の上りデータ量がしきい値を超えた場合にはＯＮＵ２を起動モードへ遷移させ、しきい値以下であった場合には上りデータ量分のペイロードを有する制御フレームを１個または複数個送信可能な帯域を省電力モードのＯＮＵ２に対して割り当てる。
【００９９】
実施形態６は、図９に示した従来のＣｙｃｌｉｃ  Ｓｌｅｅｐ方式における第１の制御メッセージ交換例に本発明を適用する場合について説明したが、図１０に示した従来のＣｙｃｌｉｃ  Ｓｌｅｅｐ方式における第２の制御メッセージ交換例にも本発明を適用可能であることは明らかである。
【０１００】
（変形例）
実施形態１−６では、ＯＬＴ１が集中的に接続されている全てのＯＮＵ２の省電力モードを制御する場合について記述したが、ＯＮＵ２が自律的に省電力モードの制御を行う場合についても本発明を適用できることは明らかである。また、実施形態１−６では、ＥＰＯＮおよび１０Ｇ−ＥＰＯＮの場合について記述したが、他のＰＯＮ、例えばＩＴＵ−Ｔ勧告準拠のＢ−ＰＯＮ、Ｇ−ＰＯＮおよびＸＧ−ＰＯＮ、さらにはＷＤＭ−ＰＯＮやＣＤＭ−ＰＯＮにおける省電力モードにも本発明を適用できることは明らかである。
【産業上の利用可能性】
【０１０１】
本発明に係る光ネットワークシステム及び光ネットワーク終端装置は、スマートグリッドにおける光通信網に適用することができる。
【符号の説明】
【０１０２】
１：ＯＬＴ
２：ＯＮＵ
３：光ファイバ伝送路
４：スプリッタ
１１：ＳＮＩポート
１２：キュー管理手段
１３：ＰＯＮ信号処理手段
１４：ＰＯＮ−ＩＦポート
２１：ＵＮＩポート
２２：キュー管理手段
２３：ＰＯＮ信号処理手段
２４：ＰＯＮ−ＩＦポート
２５：キュー監視手段
１３１：ＭＰＣＰ部
１３２：帯域割当部
１３３：ＯＡＭ部
２３１：ＭＰＣＰ部
２３２：ＯＡＭ部
２３３：多重分離部
２３４、２３５：ＰＨＹ部
２３６：ＭＡＣ部
【図１】
0005566948.tif 000002
【図２】
0005566948.tif 000003
【図３】
0005566948.tif 000004
【図４】
0005566948.tif 000005
【図５】
0005566948.tif 000006
【図６】
0005566948.tif 000007
【図７】
0005566948.tif 000008
【図８】
0005566948.tif 000009
【図９】
0005566948.tif 000010
【図１０】
0005566948.tif 000011
【図１１】
0005566948.tif 000012
【図１２】
0005566948.tif 000013
【図１３】
0005566948.tif 000014
【図１４】
0005566948.tif 000015
【図１５】
0005566948.tif 000016
【図１６】
0005566948.tif 000017